(57)【特許請求の範囲】
【請求項１】
電源、秒カウンタ、分ホイール・セットを備える分カウンタ、フロント時間ホイールを備える時間カウンタ、および時間ゾーン表示部を含む、世界時間ゾーンのための表示部を備える時計ムーブメントであって、
前記時間ゾーン表示部が、さらに、
底部を備える中間ベースであって、前記分ホイール・セットを通過させるために、前記底部の中心に軸方向に取り付けられたプラネタリ・ベーシック・ギアを備え、前記プラネタリ・ベーシック・ギアは、その下側で、前記フロント時間ホイール上に配置された軸方向ステムに接続する中間ベースと、
前記中間ベースと文字盤プレートの間に取り付けられた結合リングであって、少なくとも２つの係合フックを有する結合リングと、
時間ゾーン調整可能リングであって、前記プラネタリ・ベーシック・ギアとかみ合うための内側ギア・リング部分と、前記２つの係合フックと係合するための複数のラチェット歯を、その上部に備える内側ラチェット・リングとを備える、時間ゾーン調整可能リングと、
前記時間ゾーン調整可能リング内に挿入される、周辺を備える文字盤プレートであって、前記内側ギア・リング部分および前記プラネタリ・ベーシック・ギアとかみ合うための前記周辺によって設定されるプラネタリ・アイドル・ギア・セットを備える、文字盤プレートとを含み、
それによって、前記文字盤プレートが正しい時間を表示できる世界時間ゾーンのための表示部を備える時計ムーブメント。
【請求項２】
基板および回路板の上に配置された前記電源がバッテリを備え、
前記秒カウンタが、それぞれ前記ロータおよび秒ホイールとかみ合うフロント秒ホイールを備え、前記秒ホイールが、下方に秒スピンドルを備え、前記秒スピンドルが秒針／ディスクに枢軸可能に接触し、
分カウンタが、前記秒ホイールとかみ合う前記フロント分ホイールを備え、その下側部分が、さらに分ホイール・セットとかみ合い、前記分ホイール・セットは、その底部で軸方向チュービングに接続し、前記秒スピンドルによって通過され、前記軸方向チュービングは、その端部で分針に接続するために前記文字盤プレート上にあり、
前記時間カウンタが、それぞれ前記分ホイール・セットおよび時間ホイールとかみ合う前記フロント時間ホイールを備え、前記時間ホイールは、前記軸方向チュービングによって通過され、その端部は、時針に接続する前記文字盤プレート上にある請求項１に記載の世界時間ゾーンのための表示部を備える時計ムーブメント。
【請求項３】
前記分ホイール・セットが、分ホイール・スピンドルにはめ合うためにフロント分ホイールを備え、前記分ホイール・スピンドルが、前記中間ベース上に配置され、前記フロント時間ホイールとかみ合うように前記プラネタリ・ベーシック・ギアを通過し、時間調整ノブが、調整可能アイドル・ホイールを回転するために回されたとき、前記調整可能アイドル・ホイールとかみ合う従動ホイールが、前記分ホイール・スピンドルを回転するために回され、その結果、時間を調整することができ、前記分ホイールが、前記フロント分ホイールによってアイドル駆動される請求項１に記載の世界時間ゾーンのための表示部を備える時計ムーブメント。
【請求項４】
前記時間調整ノブが、カバーの中空ポスト内のスプリングとはめ合い、ラチェット歯ステム、ラチェット歯ディスク、およびスプリングからなるラチェット・セットが、前記時間調整ノブと前記調整可能アイドル・ホイールとの間に取り付けられ、その結果、前記時間調整ノブが、一方向にそってだけ回転されることができる請求項３に記載の世界時間ゾーンのための表示部を備える時計ムーブメント。
【請求項５】
軸方向チュービングが、前記分ホイール・セットと一体に作られる、または前記分ホイールとはめ合う請求項１に記載の世界時間ゾーンのための表示部を備える時計ムーブメント。
【請求項６】
前記結合リングが、その内側周辺に、それぞれ前記中間ベースのベース・リセスおよび前記文字盤プレートのプレート・リセス内に挿入するために、少なくとも２つのロケーティング・ポストを備え、その結果、前記結合リング、前記中間ベース、および前記文字盤プレートが、ともに結合されることができる請求項１に記載の世界時間ゾーンのための表示部を備える時計ムーブメント。
【請求項７】
前記内側ラチェット・リングが、２４個のラチェット歯を有し、前記ラチェット歯のそれぞれが、一方向性である請求項１に記載の世界時間ゾーンのための表示部を備える時計ムーブメント。
【請求項８】
デイ・ナイト表示部をさらに備え、前記デイ・ナイト表示部は、デイ・ナイト・ギアとかみ合うために前記時間ホイールに隣接して配置され、デイ・ナイト表示部ディスクが、デイ・ナイト・ホイールと軸方向に接続し、その結果、デイ・ナイト表示部ディスクが、夜間および昼間を決定できるために、前記時間ホイールおよびデイ／ナイト・マークとともに回すことができる請求項１に記載の世界時間ゾーンのための表示部を備える時計ムーブメント。
【請求項９】
文字盤プレートに軸方向に取り付けられるアラーム・リセット装置をさらに備え、前記アラーム・リセット装置が、外側時間設定ホイールと移動可能にはめ合う内側時間設定ホイールを備え、外側時間設定ホイールは、少なくともその接触表面に２つの突出片を備え、内側時間設定ホイールは少なくともその接触表面に前記突出片に対応する２つのロケーティング・リセスを備え、第１アイドル・ホイールおよび秒アイドル・ホイールが、それぞれ前記内側時間設定ホイールおよび前記外側時間設定ホイールとかみ合うために、軸方向に配置され、前記時間ホイールが、アラーム・ホイールを通過し、それぞれ前記秒アイドル・ホイールおよび前記第１アイドル・ホイールとかみ合うように、それぞれ時針およびアラーム針と接続し、
それによって、前記アラーム調整ノブが回され、前記内側時間設定ホイール、前記第１アイドル・ホイール、前記アラーム・ホイール、および前記アラーム針が、前記アラーム時間をリセットするためにそれぞれ回転されることができ、前記フロント時間ホイールが、前記秒アイドル・ホイールを回転するために移動を維持し、前記突出片を備える前記外側時間設定ホイールが、前記内側時間設定ホイールの前面側上で円周移動を実行し、前記突出片が、前記ロケーティング・リセス内に落ちるとすぐに外側時間設定ホイールが降下し、回路板上の弾性接触プレートが、前記外側時間設定ホイールにより支持されない状態になり、警報音を送るブザーを備える前記回路板と電気接触する請求項１に記載の世界時間ゾーンのための表示部を備える時計ムーブメント。
【請求項１０】
前記アラーム調整ノブが、前記カバー上の中空ポスト内に配置され、ラチェット・ステム、ラチェット・ディスク、およびスプリングからなるラチェット・セットが、前記アラーム調整ノブと前記内側時間設定ホイールとの間に配置され、その結果、前記アラーム調整ノブが、一方向に沿ってだけ回ることができる請求項９に記載の世界時間ゾーンのための表示部を備える時計ムーブメント。
【請求項１１】
アラーム・スイッチが、前記中間ベースの周辺に配置され、前記アラーム・スイッチが、その側方に、弾性プレートを上昇させるためにキー突起部を有し、前記アラーム・スイッチが手で動かされるとすぐに、前記ブザーが音を送ることから解放するためにオフ状態に前記ブザーがなる請求項９に記載の世界時間ゾーンのための表示部を備える時計ムーブメント。
【請求項１２】
前記アラーム・スイッチが、前記ブザーをリセットしまたは解放するために、前記キー突起部と反対側に、前記中間ベースの壁表面内の二段タイプの係合溝と係合するための突出部を備える請求項１１に記載の世界時間ゾーンのための表示部を備える時計ムーブメント。
【発明の詳細な説明】
【０００１】
【発明の属する技術分野】
本発明は、世界時間ゾーンのための表示部を備える時計ムーブメントに関し、特に、それらの文字盤プレートが、世界の特定のゾーンの時間を直接示すことができるように、時針が、時間ゾーン調節可能リングを回転することによって、相対変位を与えることができる時計ムーブメントに関する。
【０００２】
【従来の技術】
国際為替がより頻繁になり、多国間の接触が、交通および通信の進展のために一般になることが知られている。情報の伝送および時間の差に関する要因を考慮するために、時計が、任意の他のゾーンの時間を示すことができる、すなわちいわゆる世界時間時計が必要に応じて発展してきた。
【０００３】
主として、従来の世界時間時計は、それらの文字盤に世界地図が印刷され、ローカル時間は世界地図内で調べられる。従来の世界時間時計に伴う不備は、文字盤があまりにも複雑に見え、視覚認識および伝達の観点から人間工学の基準を満たさないことである。
【０００４】
一例として、米国特許第４，９７２，３９２号を調べると、開示される世界時計は、２４個の等しい時間分割を備える時間リングに対応するために、時間ゾーン地図と外部で接続するベルトを有する１２時間ムーブメントを提供する。この世界時計の欠点は、ベルト駆動が、時間の正確さに影響を与える摩擦による磨耗を引き起こす可能性があることである。さらに、世界時間時計の分針を、慣れた方法によって読み取ることが難しい。
【０００５】
次に、他の例として世界時間時計の簡単なタイプを調べると、世界時間時計のムーブメントは、２４時間表示部を提供し、それらの文字盤の周辺は、２４時間ゾーンを示す代表的な２４個の都市の名前を備える時間ゾーン・リングに係合する。ローカルな都市の名前が、時間ゾーン・リング内のローカル時間に対応させるために回転されると、他の関連する都市の時間は計算される。しかしながら、世界時間時計の簡単なタイプは、ムーブメントが２４時間表示部を提供しなければならないという欠点も含む。さらに、時間ゾーン・リングは、結果として時間を読み取ることが難しくなる可能性があるような、文字盤にしっかりと取り付けられた時間ゾーン・リングに対して利用できる位置を示す装置がないために、ある時間期間使用した後に容易に緩む。さらにまた、世界時間時計の簡単なタイプ上の時間ゾーン・リングは、文字盤上の２４時間の目盛りから一定の距離に配置され、容易に読み取り誤差を発生する。さらに、文字盤は、２４時間を表す２４個の目盛りを配置されなければならず、２つの隣接する時間目盛り間の間隔は、制限された空間で低減され、その結果、分針の読み取りには好ましくなく、アラームを正確に合わせることができない。これが、通常の世界時間時計が、普通はアラーム時間を備えない理由である。
【０００６】
【発明が解決しようとする課題】
本発明の目的は、それぞれの時間ゾーンの時間を都合良くそして正確に示すために、時間ゾーン調整リングと結合された１２時間ムーブメントを有する、世界時間ゾーンのための表示部を備える時計ムーブメントを提供することである。
【０００７】
【課題を解決するための手段】
前記目的を達成するため、本発明の世界時間ゾーンのための表示部を備える時計ムーブメントは、電源、秒カウンタ、分ホイール・セットを備える分カウンタ、フロント時間ホイールを備える時間カウンタ、および時間ゾーン表示部を含む、世界時間ゾーンのための表示部を備える時計ムーブメントであって、
前記時間ゾーン表示部が、さらに、
底部を備える中間ベースであって、前記分ホイール・セットを通過させるために、前記底部の中心に軸方向に取り付けられたプラネタリ・ベーシック・ギアを備え、前記プラネタリ・ベーシック・ギアは、その下側で、前記フロント時間ホイール上に配置された軸方向ステムに接続し、結合リングが、その下側周辺で、少なくとも２つの周辺弾性係合フックに延びる、中間ベースと、
時間ゾーン調整可能リングであって、前記プラネタリ・ベーシック・ギアとかみ合うための内側ギア・リング部分と、前記２つの係合フックと係合するための複数のラチェット歯を、その上部に備える内側ラチェット・リングとを備える、時間ゾーン調整可能リングと、
前記時間ゾーン調整可能リング内に挿入される、周辺を備える文字盤プレートであって、前記内側ギア・リング部分および前記プラネタリ・ベーシック・ギアとかみ合うための前記周辺によって設定されるプラネタリ・アイドル・ギア・セットを備える、文字盤プレートとを含み、
それによって、前記文字盤プレートが正しい時間を表示できることからなる。
又、前記電源が、基板上に配置され、回路板が、一定速度で回転するロータを備えたステッピング・モータを備え、それらの電力が、バッテリによって供給され、
前記秒カウンタが、それぞれ前記ロータおよび秒ホイールとかみ合うフロント秒ホイールを備え、前記秒ホイールが、前記文字盤プレート上の秒針／ディスクに接続するために、秒スピンドル下方に延び、
分カウンタが、前記秒ホイールとかみ合う前記フロント分ホイールを備え、その下側部分が、さらに分ホイール・セットとかみ合い、前記分ホイール・セットは、その底部で軸方向チュービングに接続し、前記秒スピンドルによって通過され、前記軸方向チュービングは、その端部で分針に接続するために前記文字盤プレート上にあり、
前記時間カウンタが、それぞれ前記分ホイール・セットおよび時間ホイールとかみ合う前記フロント時間ホイールを備え、前記時間ホイールは、前記軸方向チュービングによって通過され、その端部は、時針に接続する前記文字盤プレート上にあることが好適である。
又、前記分ホイール・セットが、分ホイール・スピンドルにはめ合うためにフロント分ホイールを備え、前記分ホイール・スピンドルが、前記中間ベース上に配置され、前記フロント時間ホイールとかみ合うように前記プラネタリ・ベーシック・ギアを通過し、前記時間調整ノブが、調整可能アイドル・ホイールを回転するために回されたとき、前記調整可能アイドル・ホイールとかみ合う従動ホイールが、前記分ホイール・スピンドルを回転するために回され、その結果、時間を調整することができ、前記分ホイールが、前記フロント分ホイールによってアイドル駆動されることが好適である。
又、前記時間調整ノブが、カバーの中空ポスト内のスプリングとはめ合い、ラチェット歯ステム、ラチェット歯ディスク、およびスプリングからなるラチェット・セットが、前記時間調整ノブと前記調整可能アイドル・ホイールとの間に取り付けられ、その結果、前記時間調整ノブが、一方向にそってだけ回転されることができることが好適である。
又、前記軸方向チュービングが、前記分ホイール・セットと一体に作られる、または前記分ホイールとはめ合うことが好適である。
又、前記結合リングが、その内側周辺に、それぞれ前記中間ベースのベース・リセスおよび前記文字盤プレートのプレート・リセス内に挿入するために、少なくとも２つのロケーティング・ポストを備え、その結果、前記結合リング、前記中間ベース、および前記文字盤プレートが、ともに結合されることができることが好適である。
又、前記内側ラチェット・リングが、２４個のラチェット歯を有し、前記ラチェット歯のそれぞれが、一方向性であることが好適である。
又、デイ・ナイト表示部をさらに備え、前記デイ・ナイト表示部は、デイ・ナイト・ギアとかみ合うために前記時間ホイールに隣接して配置され、デイ・ナイト表示部ディスクが、前記デイ・ナイト・ホイールと軸方向に接続し、その結果、前記デイ・ナイト表示部ディスクが、夜間および昼間を決定できるために、前記時間ホイールおよびデイ／ナイト・マークとともに回すことができることが好適である。
又、アラーム・リセット装置をさらに備え、前記アラーム・リセット装置が、外側時間設定ホイールと移動可能にはめ合う内側時間設定ホイールを備え、両方の前記時間設定ホイールが、少なくとも２つの突出片および２つのロケーティング溝を有する、それぞれ前記時間設定ホイールに備えられる接触表面を備える前記文字盤プレートに軸方向に取り付けられ、第１アイドル・ホイールおよび秒アイドル・ホイールが、それぞれ前記内側時間設定ホイールおよび前記外側時間設定ホイールとかみ合うために、軸方向に配置され、前記時間ホイールが、アラーム・ホイールを通過し、それぞれ前記秒アイドル・ホイールおよび前記第１アイドル・ホイールとかみ合うように、それぞれ時針およびアラーム針と接続し、
それによって、前記アラーム調整ノブが回され、前記内側時間設定ホイール、前記第１アイドル・ホイール、前記アラーム・ホイール、および前記アラーム針が、前記アラーム時間をリセットするためにそれぞれ回転されることができ、前記フロント時間ホイールが、前記秒アイドル・ホイールを回転するために移動を維持し、前記突出片を備える前記外側時間設定ホイールが、前記内側時間設定ホイールの前面側上で円周移動を実行し、前記突出片が、前記ロケーティング・リセス内に落ちるとすぐに外側時間設定ホイールが降下し、回路板上の弾性接触プレートが、前記外側時間設定ホイールにより支持されない状態になり、警報音を送るブザーを備える前記回路板と電気接触することが好適である。
又、前記アラーム調整ノブが、前記カバー上の中空ポスト内に配置され、ラチェット・ステム、ラチェット・ディスク、およびスプリングからなるラチェット・セットが、前記アラーム調整ノブと前記内側時間設定ホイールとの間に配置され、その結果、前記アラーム調整ノブが、一方向に沿ってだけ回ることができることが好適である。
又、アラーム・スイッチが、前記中間ベースの周辺に配置され、前記アラーム・スイッチが、その側方に、弾性プレートを上昇させるためにキー突起部を有し、前記アラーム・スイッチが手で動かされるとすぐに、前記ブザーが音を送ることから解放するためにオフ状態に前記ブザーがなることが好適である。
さらに、記アラーム・スイッチが、前記ブザーをリセットしまたは解放するために、前記中間ベースの壁表面内の二段タイプの係合溝と係合するために、前記キー突起部と反対側に係合する突出部の外側に延びることが好適である。
【０００８】
【発明の実施の形態】
本願は、以下の詳細な記載および添付の図面を参照することによって、より完全に理解されるであろう。
図１から図８を参照すると、本発明による世界時間ゾーンのための表示部を備える時計ムーブメントは、基本的には、電源１、秒カウンタ２、分カウンタ３、時間カウンタ４、および時間ゾーン表示部５を備える。加えて、本発明のムーブメントは、さらにデイ・ナイト表示部６とアラーム・リセット装置７とを備える。
【０００９】
再び図１および図４を参照すると、電源１は、二重層基板１１および回路板１２の上に配置され、電源１は、回路板１２に取り付けられたバッテリ１３を備える。したがって、電力は、コイル１４１、ステータ１４２、およびロータ１４３からなる従来のステッピング・モータ１４に供給されることができ、その結果、ロータ１４３は、秒カウンタ２に電力を伝達するために一定速度で回転することができる。
【００１０】
秒カウンタ２は、フロント秒ホイール２１を備え、このフロント秒ホイール２１は、基板１１に軸方向に取り付けられ、ロータ１４３によって駆動されるようにロータ１４３とかみ合う。フロント秒ホイール２１は、さらに秒ホール２２とかみ合い、その結果、秒ホイール２２の下の秒スピンドルは、１分につき１回転することができる。秒スピンドル２３は、秒針／ディスク２４と枢転可能に接触するために、分ホイール・セット３２を通過し、文字盤プレート５２を超えて延長する。
【００１１】
図２から図７を参照すると、分カウンタ３は、秒ホイール２２とかみ合うために、基板１１に配置されたフロント分ホイール３１を備え、フロント分ホイール３１の下側部分は、速度低減の作用を得るように分ホイール・セット３２とかみ合うために、基板１１および回路板１２を通過する。分ホイール・セット３２は、その底部で軸方向チュービング３３と接触し、軸方向チュービング３３は、分針３４とはめ合うために文字盤プレート５２を通って延び、その結果分針３４は、秒針／ディスク２４の１回転につき６°回転できる。
【００１２】
分ホイール・セット３２は、分ホイール・スピンドル３２２と移動可能にはめ合う分ホイール３２１を提供し、その構成の利点が以下に記載される。時間調整ノブ３５が押され回されるとすぐに、カバー・プレート８上の１つの中空ポスト８１内に配置されたスプリング３６は、ラチェット・セット３７の下に配置された調節可能なアイドル・ホイール３８と接触するように、ラチェット歯ステム３７１、ラチェット・ディスク３７２、およびスプリング３７３からなるラチェット・セット３７を下げるように圧縮される。アイドル・ホイール３８は、中間ベース５５に取り付けられたシャフト３９１を有する被駆動ホイール３９に対して回転し、その結果、被駆動ホイール３９とかみ合う分ホイール・スピンドル３２２が、時間調整する目的を得るために、時間カウンタ４に対して軸方向チュービング３３を回転するために回ることができる。分ホイール３２１は、フロント分ホイール３１によって駆動されるにもかかわらずアイドル状態で回転し、秒スピンドル２３が、時間を訂正する間に秒スピンドル２３の停止の結果として生じる可能のある誤りを避けるために、一定の速度での回転を維持する。
【００１３】
時間カウンタ４は、中間ベース５５の底部においてプラネタリ・ベース・ギア５６と軸方向に接続し、時間カウンタ４のフロント時間ホイール４１は、下部軸方向ステム４１１によってプラネタリ・ベーシック・ギア５６に接続する。フロント時間ホイール４１は、さらに、分ホイール・スピンドル３２２に沿って回転するために、分ホイール・スピンドル３２２とかみ合い、プラネタリ・ベーシック・ギア５６に対してとプラネタリ動きを実行することができる。さらにまた、中間プレート５４の位置でのフロント時間ホイール４１は、時間ホイール４２とかみ合い、その結果時間ホイール４２の速度は、６０分につき３０°回転するために低減されることができる。したがって、時間ホイール４２はアラーム時間ホイール７５および文字盤プレート５２を通過し、時針４３に接続する。
【００１４】
時間ゾーン表示部５は、文字盤プレート５２とはめ合うために時間ゾーン調整可能リング５１を備え、時間ゾーン調整可能リング５１は、ランドマーク・リング（図示せず）に接続するために、時間ゾーン調整可能リング５１の周辺の近くに、複数のリング孔５１１および／または突出部５１２を有する。その上に代表的な都市名を備えるランドマーク・リングは、２４時間ゾーンに対応することに留意されたい。時間ゾーン調整可能リング５１は、内側ギア・リング５１３を、プラネタリ・アイドル・ギア５３の周辺開口部５２１で文字盤プレート５２に軸方向に接続されるプラネタリ・アイドル・ギア５３にかみ合う。さらにまた、文字盤プレート５２は、その上側部分でリレー・プレート５４と接続し、その結果、リレー・プレート５４は、デイ・ナイト表示部６のための仕切りであることができ、アラーム・リセット装置７はそこにわたって配置される。さらに、中間ベース５５は、その底部中央でプラネタリ・ギア５６と軸方向に接続し、分ホイール・スピンドル３２２は、中間ベース５５の中央孔を通過し、中間プレート５５に軸方向に取り付けられたフロント時間ホイール４１とかみ合う。加えて、プラネタリ・ギア５６は、さらにプラネタリ被駆動ギア５７とかみ合い、アングル突出部５７１は、プラネタリ・アイドル・ギア５３内のアングル孔５３１とかみ合い、その結果、ギア列がこのように構成されることができる。
【００１５】
さらに、結合リング５８が、中間ベース５５と文字盤プレート５２との間に取り付けられ、少なくとも２つの直立に位置するポスト５８１が、それぞれ中間ベース５５のベース・リセス５５１と、文字盤プレート５２のプレート・リセス５２２とに挿入されるために、内部周辺に取り付けられ、その結果、中間ベース５５および文字盤プレート５２が、共に組み立てられることができる。さらにまた、結合リング５８は、内側ギア・リング５１３上方の時間ゾーン調整可能リング５１内のラチェット・リング５１４とはめ合うために、少なくとも２つの周辺弾性係合フック５８２を有する。したがって、時間ゾーン調整可能リング５１が、時間ゾーンの１つに回転され、プラネタリ・アイドル・ギア５３が、プラネタリ被駆動ギア５７とともに回転するとすぐに、プラネタリ・ギア５６が、プラネタリの動きでフロント時間ホイール４１を回転するために、プラネタリ被駆動ギア５７によって駆動されることができる。次に、時間ホイール４２が、文字盤プレート５２上の時針４３とともに同期して回転されることができる。
【００１６】
実際、プラネタリ・ベース・ギア５６が、プラネタリの動きの状態にあるとき、フロント時間ホイール４１は、プラネタリ・ベース・ギア５６の動きに干渉されることなく、分ホイール・スピンドル３２２の周りを回転し、その結果、時間読み取りの誤りが発生することは不可能である。
【００１７】
さらにまた、内側ラチェット・リング５１４は、一方向性である、ランドマーク・リング上の２４時間ゾーンの２４個の代表的な都市名に対応する、２４個のラチェット歯を備え、その結果、時間ゾーン調整可能リング５１は、手で動かされている間、逆方向に回転できるだけである。さて、２つの係合フック５８２は、正確な時間位置において急な中断を実行するために、それぞれ内側ラチェット・リング５１４のラチェット歯の１つと選択的に係合することができる。
【００１８】
再び、図３および図７を参照すると、本発明は、さらに、必要であれば、昼間の状態または夜間の状態を知ることができるデイ・ナイト表示部６を備える。デイ・ナイト表示部６は、時間ホイール４２とかみ合うデイ・ナイト・ギア６１を備え、文字盤プレート５２の前方のデイ・ナイト表示部ディスク６２は、デイ・ナイト・ギア６１と軸方向に接続するために、文字盤プレート５２を通過するシャフトを有し、その結果、デイ・ナイト表示ディスク６２は、時間ホイール４２とともに移動することができる。デイ・ナイト表示ディスク６２（図７に示される）は、その前面側に、それぞれ昼間の状態と夜間の状態とを示すために、デイ／ナイトのシンボルとして２つの装飾マーク６１を有する。時間ホイール４２と絶えず係合するために、デイ・ナイト・ギア６１は、時間ホイール４２とともに移動し、その結果、ユーザのローカル時間に関する昼および夜の状態は、通常の状態で示されることができる。ユーザが、手で時間ゾーン調整可能リング５１を動かすとき、時間ホイール４２は、反対方向の回転を発生し、デイ・ナイト・ギア６１は、さらに時間ホイール４２とともに回転する。デイ・ナイト・ギア６１が、所望の時間ゾーンに調整されるとすぐに、表示された装飾マーク６２１は、ローカル時間のデイ・ナイトの状況を表す。したがって、本発明で開示される１２時間ムーブメントは、昼間の状態と夜間の状態とを識別することができ、それぞれの状態に対応する時間を表示することができる。
【００１９】
再び、図１、図３、および図７を参照すると、本発明は、さらにアラーム・リセット装置７を備え、アラーム・リセット装置７は、ともに文字盤プレート５２に軸方向に取り付けられるように、外側時間設定ホイール７２に移動可能にはめ合うために、内側時間設定ホイール７１を備える。外側時間設定ホイール７２は、少なくともその接触表面に、２つの突出片７２１を備え、内側時間設定ホイール７１は、少なくともその接触表面に、突出片７２１に対応する２つのロケーティング・リセス７１１を備える。さらにまた、内側時間設定ホイール７１は、第１のアイドル・ホイール７３とかみ合い、外側時間設定ホイール７２は、第２のアイドル・ホイール７４とかみ合い、第１のアイドル・ホイール７３と第２のアイドル・ホイール７４とは、互いに隣接して配置される。さらに、第１のアイドル・ホイール７３はアラーム・ホイール７５に、第２のアイドル・ホイール７４は時間ホイール４２に、それぞれかみ合い、アラーム・ホイール７５は、アラーム針７６と結合するために、文字盤プレート５２の中心を通過する。アラーム調整ノブ７７が、ラチェット・ステム７８１、ラチェット・ディスク７８２、およびスプリング７８３からなるラチェット・セット７８を、反時計方向に回転するように回り、ラチェット・セット７８に接続する内側時間設定ホイール７１を回転するとき、第１のアイドル・ホイール７３およびアラーム・ホイール７５は、アラーム針７６がアラーム時間を示すまで、反時計方向に回転することができる。さらに、ラチェット・セット７８が、一方向性の回転を備えることは好ましい。
【００２０】
その一方で、時間ホイール４２は、第２のアイドル・ホイール７４を回転するために移動を維持し、突出片７２１を備える外側時間設定ホイール７２は、内側時間設定ホイール７１の前面側で円周運動の実行を維持する。突出片７２１が、ロケーティング・リセス７１１と一直線に並び、ロケーティング・リセス７１１内に落ちるとすぐに、外側時間設定ホイール７２は、急に降下し、その結果、回路板１２上の弾性接触プレート１２１は、外側時間設定ホイール７２によって支持されない状態になり、回路板１２と電気接触する。したがって、ブザー１２２は、事前設定されたアラーム時間になったことをユーザに知らせるために、ブザー音を送ることができる。
【００２１】
このとき、ユーザは、弾性接触プレート１２１のキー突起部７９１によって弾性接触プレート１２１を再び上昇させるために、手によって中間プレート５５の周辺に配置されたアラーム・スイッチ７９を動かすことができ、その結果、電源が、ブザー１２２がブザー音を送ることから解放するためにオフとなることができる。さらに、アラーム・スイッチ７９は、中間ベース５５の壁表面上の係合する二段タイプの溝５５２と係合するために、キー突起部７９１の反対側の係合する突出部７９２の外側に延び、ブザーは、係合する突出部７９２によってリセットまたは解放されることができる。
【００２２】
カバー８は、中間プレート５５に取り付けられて備えられ、その外側表面に、それぞれ２つのラチェット・セット７８、３７の回転を制御するために、アラーム調整ノブ７７とスプリング３６と、はめ合う時間調整可能ノブ３５とをそれぞれ受けるための２つの中空ポスト８１を有する。さらにまた、バッテリ孔８２が、バッテリ１３を配置するために、バッテリ１３に対応するカバー８上に配置され、バッテリ・カバー８３が、バッテリ１３を囲むために備えられる。また、カバー・リセス８４が、ブザー１２２に対応するカバー８上に備えられ、その結果、ブザー１２２は、カバー８が覆う状態になるとすぐに、外側に延びることができる。
【００２３】
再び図１および図８を参照すると、本発明の世界時間ゾーンのための表示を備える時計ムーブメントが使用されるとき、ユーザは、最初に１２時などの固定された点に、台北のローカル・ランドマークを合わせる、その後、時間調整ノブ３５が、ローカル時間に従って分カウンタ３および時間カウンタ４を較正するために回転される。次に、デイ・ナイト表示部６２上に示される時間が、時間が正午の１２時に調整されるように、装飾マーク６２１によって読み取られることができる。シカゴにおける時間などの他の時間ゾーン調べるために、時間ゾーン表示部５および時間カウンタ４を同期して動かすために時間ゾーン調整可能リング５１を動かすことだけが必要であり、シカゴのランドマークが、１２時の方向に一直線に並び、その結果、デイ・ナイト表示部ディスク６１が、１０時を示す時針４３で現在の時間が夜間であることを表す装飾マーク６２１を示し、シカゴにおける現在の時間が、夜間の１０時であり、仕事の電話をかけるには適していないことを意味する。
【００２４】
さらに、ユーザが、シカゴにおいて午前９時３０分に、彼の顧客に連絡を取ろうとする場合には、時間調整ノブ３５は、シカゴにおけるローカル時間を得るために、前述のステップに従って回転され、その後、アラーム調整ノブ７７が、アラーム・リセット装置７を作動させるために直ちに回転され、アラーム針７６が、９時３０分を示すために移動される。外側時間設定ホイール７２の２つの突出片７２１が、内側時間設定ホイール７１の２つのロケーティング・リセス７１１内に落ちるとすぐに、ブザー１２２が、ブザー音を放射する。時間に正確に、ローカル・ユーザ（ローカル時間が午前１１時は３０分である）は、シカゴにいる顧客に連絡するために電話をかけることができる。
【００２５】
【発明の効果】
本発明の利点は、以下のようにまとめることができると理解される。
（１）ユーザが時間を読み取ることが容易である。なぜなら、本発明は、時間を表示するために１２時間ムーブメントを採用し、その結果、ローカル時間および他の時間ゾーンは、時間を読み取るための慣れた方法を変更することなく、容易に読み取られることができる。
（２）容易に操作され、正確な時間情報を提供する。他の時間ゾーンが調べられる場合、時間カウンタが、プラネタリ・ベーシック・ギア上のプラネタリの動きを実行できるように、時間ゾーン調整可能リングを動かすことだけが必要であり、それぞれ２つの場所の特定の時間に関して、または容易におよび都合良く識別できる２つの場所間の時間差に関して、正確な時間目盛りとともに動くことが可能である。
（３）デイ・ナイト読み取り機能を提供する。デイ・ナイト表示部ディスク上に示される装飾マーク間の差は、ユーザが、ある時間ゾーンに関する昼間または夜間の状態を容易に区別することを可能にする。
（４）アラーム・リセットの機能を提供する。本発明のムーブメントは、従来の１２時間ムーブメントとしての時間の読み取りの関する正確に同じ方法を提供し、両方のムーブメントの関するアラームのリセットおよび解放の方法は、ほぼ同一であり、その結果、２つの隣接する時間目盛り間のあまりにも小さい間隔のために、アラーム時間を設定することが難しいという欠点を避けることができる。加えて、アラーム時間は、本発明において、他の時間ゾーンが調整された後に、設定されることができ、ユーザは、アラームが鳴らされる間に、現在の時間が達したことを思い出されることができる。
【００２６】
本発明は、その好ましい実施形態を参照して記載されたが、修正および変形が、請求項によって規定される本発明の精神から逸脱することなく容易になされることができることを理解されたい。
【図面の簡単な説明】
【図１】本発明による世界時間ゾーンのための表示部を備える時計ムーブメントの分解斜視図である。
【図２】本発明による世界時間ゾーンのための表示部を備える時計ムーブメントの分解斜視図である。
【図３】本発明による世界時間ゾーンのための表示部を備える時計ムーブメントの分解斜視図である。
【図４】組み立て後の図１に示される本発明による、世界時間ゾーンのための表示部を備える時計ムーブメントの基板に取り付けられた部品を示す平面図である。
【図５】組み立て後の図２に示される本発明による、世界時間ゾーンのための表示部を備える時計ムーブメントの中間ベースに取り付けられた部品を示す平面図である。
【図６】図５の背面図である。
【図７】組み立て後の図３に示される文字盤プレートに取り付けられた部品を示す平面図である。
【図８】組み立てられた世界時間時計のムーブメントを備える世界時間時計の斜視図である。
【符号の説明】
１  電源
２  秒カウンタ
３  分カウンタ
４  時間カウンタ
５  時間ゾーン表示部
６  デイ・ナイト表示部
７  アラーム・リセット装置
８  カバー・プレート
１１  二重層基板
１２  回路板
１３  バッテリ
１４  ステッピング・モータ
２１  フロント秒ホイール
２２  秒ホイール
２３  秒スピンドル
２４  秒針／ディスク
３１  フロント分ホイール
３２  分ホイール・セット
３３  軸方向チュービング
３４  分針
３５  時間調整ノブ
３６  スプリング
３７  ラチェット・セット
３８  アイドル・ホイール
３９  被駆動ホイール
４１  フロント時間ホイール
４２  時間ホイール
４３  時針
５１  時間ゾーン調整可能リング
５２  文字盤プレート
５３  プラネタリ・アイドル・ギア
５４  中間プレート、リレー・プレート
５５  中間ベース
５６  プラネタリ・ベース・ギア
５７  プラネタリ被駆動ギア
５８  結合リング
６１  デイ・ナイト・ギア、装飾マーク
６２  デイ・ナイト表示部ディスク
７１  内側時間設定ホイール
７２  外側時間設定ホイール
７３  第１のアイドル・ホイール
７４  第２のアイドル・ホイール
７５  アラーム時間ホイール
７６  アラーム針
７７  アラーム調整ノブ
７８  ラチェット・セット
７９  アラーム・スイッチ
８１  中空ポスト
８２  バッテリ孔
８３  バッテリ・カバー
８４  カバー・リセス
１２１  弾性接触プレート
１２２  ブザー
１４１  コイル
１４２  ステータ
１４３  ロータ
３２１  分ホイール
３２２  分ホイール・スピンドル
３７２  ラチェット歯ステム
３７２  ラチェット・ディスク
３７３  スプリング
３９１  シャフト
４１１  下部軸方向ステム
５１１  リング孔
５１２  突出部
５１３  内側ギア・リング
５１４  ラチェット・リング
５２１  周辺開口部
５２２  プレート・リセス
５３１  アングル孔
５５１  ベース・リセス
５５２  溝
５７１  アングル突出部
５８１  ポスト
５８２  周辺弾性係合フック
６２１  装飾マーク
７１１  ロケーティング・リセス
７２１  突出片
７８１  ラチェット・ステム
７８２  ラチェット・ディスク
７８３  スプリング
７９１  キー突起部
【図１】
0004380952.tif 000002
【図２】
0004380952.tif 000003
【図３】
0004380952.tif 000004
【図４】
0004380952.tif 000005
【図５】
0004380952.tif 000006
【図６】
0004380952.tif 000007
【図７】
0004380952.tif 000008
【図８】
0004380952.tif 000009